(57)【要約】【課題】クリーニングブラシローラが待機停止中であっても、クリーニングブラシローラの毛先部へのストレスが不規則な状態に係るのを防止し、常に、十分な起毛効果が長時間に亘って得られるようにしたクリーニング装置を装着した画像形成装置を提供する。【解決手段】像担持体の残存トナーを清掃するクリーニング装置を備えた画像形成装置において、該クリーニング装置の少なくとも１つが、前記像担持体の走行方向に逆らって接触回転して該像担持体上の残存トナーを除去するクリーニングブラシローラと、該クリーニングブラシローラに毛先部同士が重なりあって接触して、その接触位置において同一接線方向に回転し、該クリーニングブラシローラより周速度を大きくした起毛ブラシローラと、前記クリーニングブラシローラで回収されたトナーが集まる回収部を底部に設けた筐体とを有することを特徴とする画像形成装置。【選択図】図２
2008102248.tif 000002
【特許請求の範囲】
【請求項１】
像担持体の残存トナーを清掃するクリーニング装置を備えた画像形成装置において、該クリーニング装置の少なくとも１つが、
前記像担持体の走行方向に逆らって接触回転して該像担持体の残存トナーを除去するクリーニングブラシローラと、
該クリーニングブラシローラに毛先部同士が食い込み接触して、その接触位置において同一接線方向に回転し、該クリーニングブラシローラよりも周速度を大きくした起毛ブラシローラとを有することを特徴とする画像形成装置。
【請求項２】
請求項１において、前記クリーニング装置の少なくとも１つが、前記クリーニングブラシローラで除去されたトナーが集まる回収部を底部に設けた筐体を有することを特徴とする画像形成装置。
【請求項３】
請求項２において、前記回収部には、回収されたトナーを現像器又は廃トナーボックスに送り出す搬送スクリューが設けられていることを特徴とする画像形成装置。
【請求項４】
前記像担持体と前記クリーニングブラシローラの接触部より該クリーニングブラシローラの周走行方向下流側であって、前記起毛ブラシローラとの間に、前記クリーニングブラシローラのブラシ内部に食い込む位置にフリッカを設けたことを特徴とする請求項１〜３の何れか１項に記載の画像形成装置。
【請求項５】
前記クリーニングブラシローラの毛の剛性よりも前記起毛ブラシローラの毛の剛性を大きくしたことを特徴とする請求項１〜４の何れか１項に記載の画像形成装置。
【請求項６】
前記クリーニングブラシローラの毛と前記起毛ブラシローラの毛とが同材質の場合には、前記クリーニングブラシローラの毛の太さよりも前記起毛ブラシローラの毛の太さを大きくしたことを特徴とする請求項１〜４の何れか１項に記載の画像形成装置。
【発明の詳細な説明】
【技術分野】
【０００１】
本発明は、像担持体をクリーニングするクリーニング装置を装着した画像形成装置に関する。
【背景技術】
【０００２】
電子写真方式の画像形成装置における感光体や中間転写体等の像担持体の残存トナーを清掃するためにクリーニングブラシローラが用いられるが、このクリーニングブラシローラは像担持体に接触してクリーニングを続けると、毛先が直毛の状態から変化して寝癖がついた斜毛が起こり外径が小さくなる。これにより初期設定時の当接ニップ状態が得られなくなり、クリーニング性が低下してしまい、このままにすると、耐久性も望めなくなる。それを解決する方法として、特許文献１に示すように、前記クリーニングブラシローラの前記斜毛状態を回復させるためにブレードを歯車状に形成したトナー除去ローラを、前記クリーニングブラシローラに接触させて起毛させようとする手段が採られている。また、特許文献２に示すようにクリーニングブラシローラに、羽根を十字状に植えたスクレーパローラを高速回転させながら接触させてクリーニングブラシローラを起毛させようとする手段が採られている。
【特許文献１】実開平５−３０８６２号公報
【特許文献２】特開２０００−３９８２０号公報
【発明の開示】
【発明が解決しようとする課題】
【０００３】
ところが上述した従来の技術では、待機停止中のクリーニングブラシローラにも、トナー除去ローラのブレードやスクレーパローラの羽根の広い突き当て面が接触し続けるため、クリーニングブラシローラの毛先部へのストレスが不規則な状態に係り正常な起毛に反して、かえって助長する作用になる場合も起こり、十分な起毛効果が得られないことがある。
【０００４】
本発明はこのような従来の技術の問題点を解決して、クリーニングブラシローラが待機停止中であっても起毛を阻害することを無くし、十分な起毛効果が得られるクリーニング装置を装着した画像形成装置を提供することを課題目的にする。
【課題を解決するための手段】
【０００５】
この目的は次の技術手段１〜６の何れかによって達成される。
１．像担持体の残存トナーを清掃するクリーニング装置を備えた画像形成装置において、該クリーニング装置の少なくとも１つが、
前記像担持体の走行方向に逆らって接触回転して該像担持体の残存トナーを除去するクリーニングブラシローラと、
該クリーニングブラシローラに毛先部同士が食い込み接触して、その接触位置において同一接線方向に回転し、該クリーニングブラシローラよりも周速度を大きくした起毛ブラシローラとを有することを特徴とする画像形成装置。
２．１項において、前記クリーニング装置の少なくとも１つが、前記クリーニングブラシローラで除去されたトナーが集まる回収部を底部に設けた筐体を有することを特徴とする画像形成装置。
３．２項において、前記回収部には、回収されたトナーを現像器又は廃トナーボックスに送り出す搬送スクリューが設けられていることを特徴とする画像形成装置。
４．前記像担持体と前記クリーニングブラシローラの接触部より該クリーニングブラシローラの周走行方向下流側であって、前記起毛ブラシローラとの間に、前記クリーニングブラシローラのブラシ内部に食い込む位置にフリッカを設けたことを特徴とする１〜３項の何れか１項に記載の画像形成装置。
５．前記クリーニングブラシローラの毛の剛性よりも前記起毛ブラシローラの毛の剛性を大きくしたことを特徴とする１〜４項の何れか１項に記載の画像形成装置。
６．前記クリーニングブラシローラの毛と前記起毛ブラシローラの毛とが同材質の場合には、前記クリーニングブラシローラの毛の太さよりも前記起毛ブラシローラの毛の太さを大きくしたことを特徴とする１〜４項の何れか１項に記載の画像形成装置。
【発明の効果】
【０００６】
本発明によりクリーニングブラシローラの毛先の斜毛による曲がりは、正常に復して接触面への毛先部の直立性が保たれ、この状態が長期に亘って続けられる。また、停止中もお互いの毛先同士が重なり合うので安定した起毛効果が持続できる。
【０００７】
更に、クリーニングブラシローラによりそのブラシ中に含まれてくる回収トナーは、ブラシの毛先同士が弾き合うことにより、フリッカの役目もする起毛ブラシローラによって振り落とされるので、回収効率や清掃品質も向上する。
【発明を実施するための最良の形態】
【０００８】
本発明の実施の形態を説明するが、以下の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【０００９】
先ず、クリーニング装置１９０、１９０Ａが装着されている本発明の画像形成装置としてカラー電子写真用の画像形成装置ＧＳについて、図１を用いてその概略を説明する。
【００１０】
この画像形成装置ＧＳは、タンデム型カラー画像形成装置と称せられるもので、中間転写体の移動方向に沿ってイエロー、マゼンタ、シアンおよび黒色の各カラートナー像を形成する画像形成ユニットを配置し、各画像形成ユニットの像担持体上に形成したカラートナー像を中間転写体上に多重転写して重ね合わせた後、記録媒体上に一括転写するものである。
【００１１】
図において、画像形成装置ＧＳの上部を占める位置に配設される画像読取装置ＳＣ上に載置された原稿画像が光学系により走査露光され、ラインイメージセンサＣＣＤに読み込まれ、ラインイメージセンサＣＣＤにより光電変換されたアナログ信号は、画像処理部において、アナログ処理、Ａ／Ｄ変換、シェーディング補正、画像圧縮処理等を行った後、画像書込手段としての露光光学系３に画像データ信号を送る。
【００１２】
中間転写体としてはドラム式のものや無端ベルト式のものがあり、何れも同じような機能を有するものであるが、以下の説明においては中間転写体としては無端ベルト状式中間転写体６を指すことにする。
【００１３】
また図において、無端ベルト状中間転写体６の周縁部には、イエロー（Ｙ）、マゼンタ（Ｍ）、シアン（Ｃ）及び黒色（Ｋ）の各色毎の画像形成用として４組のプロセスユニット１００がカラートナー像の形成手段として、図の矢印で示す鉛直方向の中間転写ベルト６の回転方向に対して、中間転写ベルト６に沿って垂直方向に縦列配置され、Ｙ、Ｍ、Ｃ、Ｋの順に配置されている。
【００１４】
４組のプロセスユニット１００は何れも共通した構造であり、それぞれ、像担持体である感光体ドラム１と、帯電手段としての帯電器２と、画像書込手段としての露光光学系３と、現像装置４と、像担持体クリーニング手段としての感光体のクリーニング装置１９０とからなっている。
【００１５】
像担持体である感光体ドラム１は、例えば外径が４０〜１００ｍｍ程度のアルミニウム等の金属性の部材によって形成される円筒状の基体の外周に、感光体層厚として層厚（膜厚）２０〜４０μｍ程度の有機感光体層（ＯＰＣ）の光導電層を形成したものである。感光体ドラム１は、図示しない駆動源からの動力により、導電層を接地された状態で矢印で示す方向に、例えば８０〜２８０ｍｍ／ｓ程度で、好ましくは２２０ｍｍ／ｓの線速度で回転される。
【００１６】
感光体ドラム１の周りには、帯電手段としての帯電器２、画像書込手段としての露光光学系３、現像装置４を１組とした画像形成部が、図の矢印にて示す感光体ドラム１の回転方向に対して配置される。
【００１７】
帯電手段としての帯電器２は、感光体ドラム１の回転軸に平行な方向で感光体ドラム１と対峙し近接して取り付けられる。帯電器２は、感光体ドラム１の有機感光体層に対し所定の電位を与えるコロナ放電電極としての放電ワイヤを備え、トナーと同極性のコロナ放電によって帯電作用（本実施形態においてはマイナス帯電）を行い、感光体ドラム１に対し一様な電位を与える。
【００１８】
画像書込手段である露光光学系３は、不図示の半導体レーザ（ＬＤ）光源から発光されるレーザ光を、回転多面鏡（符号なし）により主走査方向に回転走査し、ｆθレンズ（符号なし）、反射ミラー（符号なし）等を経て感光体ドラム１上を画像信号に対応する電気信号による露光（画像書込）を行い、感光体ドラム１の表面の感光体層に原稿画像に対応する静電潜像を形成する。
【００１９】
現像手段としての現像装置４は、感光体ドラム１の帯電極性と同極性に帯電されたイエロー（Ｙ）、マゼンタ（Ｍ）、シアン（Ｃ）若しくは黒色（Ｋ）の各色の２成分現像剤をそれぞれ収容し、例えば厚み０．５〜１ｍｍ、外径１５〜２５ｍｍの円筒状の非磁性のステンレスあるいはアルミ材で形成された現像剤担持体である現像ローラ４ａを備えている。現像ローラ４ａは、突き当てコロ（不図示）により感光体ドラム１と所定の間隙、例えば１００〜１０００μｍをあけて非接触に保たれ、感光体ドラム１の回転方向と同方向に回転するようになっており、現像時、現像ローラ４ａに対してトナーと同極性（本実施形態においてはマイナス極性）の直流電圧或いは直流電圧に交流電圧を重畳する現像バイアス電圧を印加することにより、感光体ドラム１上の露光部に対して反転現像が行われる。当該反転現像に使用される現像剤（トナー）としてはスチレンアクリル重合トナーが用いられる。
【００２０】
無端ベルト状中間転写体６は、体積抵抗率が１．０×１０7〜１．０×１０9Ω・ｃｍ程度で、表面抵抗率が１．０×１０10〜１．０×１０12Ω／□程度の半導電性の無端状（シームレス）の樹脂ベルト部材が用いられ、例えば変性ポリイミド、熱硬化ポリイミド、エチレンテトラフルオロエチレン共重合体、ポリフッ化ビニリデン、ナイロンアロイ等のエンジニアリングプラスチックに導電材料を分散した厚さ０．０５〜０．５ｍｍの半導電性の樹脂フィルム基体である。無端ベルト状中間転写体６の基体としては、この他に、シリコンゴム或いはウレタンゴム等に導電材料を分散した厚さ０．５〜２．０ｍｍの半導電性ゴムベルトを使用することもできる。無端ベルト状中間転写体６はガイドローラ６Ａ、テンションローラ６ａ及び二次転写ローラ７Ａに対峙するバックアップローラ６Ｂを含む複数のローラ部材により巻回され、鉛直方向に回動可能に支持されている。中間転写体としてはドラム状のものを用いることも可能である。
【００２１】
各色毎の一次転写手段としての一次転写ローラ７は、例えばシリコンやウレタン等の発泡ゴムを用いたローラ状の導電性部材からなり、無端ベルト状中間転写６を挟んで各色毎の感光体ドラム１に対向して設けられ、無端ベルト状中間転写６の背面を押圧して感光体ドラム１との間に転写域を形成する。一次転写ローラ７には定電流制御によりトナーと反対極性（本実施形態においてはプラス極性）の直流定電流が印加され、転写域に形成される転写電界によって、感光体ドラム１上のトナー像が無端ベルト状中間転写体６上に転写される。
【００２２】
画像形成工程（画像形成プロセス）について以下に説明する。
【００２３】
画像記録のスタートにより不図示の感光体駆動モータの始動によりＹの感光体ドラム１が図の矢印で示す方向へ回転され、Ｙの帯電器２によってＹの感光体ドラム１に電位が付与される。Ｙの感光体ドラム１は電位を付与された後、Ｙの露光光学系３によって第１の色信号すなわちＹの画像データに対応する電気信号による露光（画像書込）が行われ、Ｙの感光体ドラム１上にイエロー（Ｙ）の画像に対応する静電潜像が形成される。この潜像はＹの現像装置４により反転現像され、Ｙの感光体ドラム１上にイエロー（Ｙ）のトナーからなるトナー像が形成される。Ｙの感光体ドラム１上に形成されたＹのトナー像は一次転写手段としての一次転写ローラ７により無端ベルト状中間転写体６上に転写される。
【００２４】
次いで、Ｍの帯電器２によってＭの感光体ドラム１に電位が付与される。Ｍの感光体ドラム１は電位を付与された後、Ｍの露光光学系３によって第１の色信号すなわちＭの画像データに対応する電気信号による露光（画像書込）が行われ、Ｍの感光体ドラム１上にマゼンタ（Ｍ）の画像に対応する静電潜像が形成される。この潜像はＭの現像装置４により反転現像され、Ｍの感光体ドラム１上にマゼンタ（Ｍ）のトナーからなるトナー像が形成される。Ｍの感光体ドラム１上に形成されたＭのトナー像は、一次転写手段としての一次転写ローラ７によりＹのトナー像に重ね合わせて無端ベルト状上中間転写体６上に転写される。
【００２５】
同様のプロセスにより、Ｃの感光体ドラム１上に形成されたシアン（Ｃ）のトナーからなるトナー像と、Ｋの感光体ドラム１上に形成された黒色（Ｋ）のトナーからなるトナー像が順次無端ベルト状中間転写体６上に重ね合わせて形成され、無端ベルト状中間転写体６の周面上に、Ｙ、Ｍ、Ｃ及びＫのトナーからなる重ね合わせのカラートナー像が形成される。
【００２６】
転写後のそれぞれの感光体ドラム１の周面上に残ったトナーは感光体のクリーニング装置１９０によりクリーニングされる。
【００２７】
一方、給紙カセット２０Ａ、２０Ｂ、２０Ｃ内に収容された記録紙としての記録媒体Ｐは、給紙カセット２０Ａ、２０Ｂ、２０Ｃにそれぞれ設けられる送り出しローラ２１および給紙ローラ２２Ａにより給紙され、搬送路２２上を搬送ローラ２２Ｂ、２２Ｃ、２２Ｄによって搬送され、レジストローラ２３を経て、トナーと反対極性（本実施形態においてはプラス極性）の電圧が印加される二次転写手段としての二次転写ローラ７Ａに搬送され、二次転写ローラ７Ａの転写域において、無端ベルト状中間転写体６上に形成された重ね合わせのカラートナー像（カラー画像）が記録媒体Ｐ上に一括して転写される。
【００２８】
カラー画像が転写された記録媒体Ｐは、定着装置１７の加熱ローラ１７ａと加圧ローラ１７ｂとにより形成される定着ニップ部ＮＡにおいて加熱加圧されて定着され、排紙ローラ２４に挟持されて機外の排紙トレイ２５上に載置される。
【００２９】
以上は記録媒体Ｐの片側である第１面への画像形成を行う状態を説明したものであるが、両面複写の場合は、排紙切換部材２６が切り替わり、シート案内部２６Ａが開放され、記録媒体Ｐは破線矢印の方向に搬送される。
【００３０】
更に、搬送機構２７Ａにより記録媒体Ｐは下方の搬送路２７Ｂに搬送され、シート反転部２７Ｃによりスイッチバックさせられ、分岐部２７Ｄで搬送路を切り換え、今までの記録媒体Ｐの後端部は先端部となって両面複写用給紙ユニット１３０内に搬送される。
【００３１】
記録媒体Ｐは両面複写用給紙ユニット１３０に設けられた搬送ガイド１３１を給紙方向に移動し、給紙ローラ１３２で記録媒体Ｐは再給紙され、前記搬送路２２に案内される。
【００３２】
そして再び、上述したように二次転写ローラ７Ａの方向に記録媒体Ｐが搬送され、記録媒体Ｐの裏面である第２面にトナー画像を転写し、定着装置１７で定着した後、排紙トレイ２５上に排紙する。
【００３３】
また、二次転写手段としての二次転写ローラ７Ａにより記録媒体Ｐ上にカラー画像が転写された後、記録媒体Ｐを曲率分離した無端ベルト状中間転写体６は、中間転写体のクリーニング装置１９０Ａにより残留トナーが除去される。
【００３４】
このように像担持体として感光体及び中間転写体があり、本実施の形態では感光体として感光体ドラム１を、中間転写体として無端ベルト状中間転写体６を用いている。クリーニング装置に関する以下の説明では、主として無端ベルト状中間転写体６に対するクリーニング装置１９０Ａについて行う。感光体ドラム１に対するクリーニング装置１９０の構成も像担持体が異なるだけでクリーニング装置の構成は全く同様にすることができる。
【００３５】
電子写真方式の画像形成装置ＧＳにおける感光体ドラム１や無端ベルト状中間転写体６等の像担持体の残存トナーを清掃するためにクリーニングブラシローラ１９２やクリーニングブレードが用いられるが、本発明に用いられるクリーニング装置は、クリーニングブラシローラ１９２を用いる方式のものである。
【００３６】
図１の要部断面構成図及び図２の部分正面図に示すように、画像形成装置ＧＳは、ガイドローラ６Ａに巻回されて搬送される無端ベルト状中間転写体６上の残存トナーＴを清掃するクリーニング装置１９０Ａを備えている。
【００３７】
そして、該クリーニング装置１９０Ａは、図２の正面図に示すように、無端ベルト状中間転写体６の走行方向に逆らって接触回転して前記無端ベルト状中間転写体６上の残存トナーＴを除去するクリーニングブラシローラ１９２を備えている。
【００３８】
更に、該クリーニング装置１９０Ａは、前記クリーニングブラシローラ１９２に毛先部同士が重なりあって接触して、その接触位置において同一接線方向に回転し、前記クリーニングブラシローラ１９２より周速度及び毛の剛性（同一材質のときは毛の太さで比較しても良い）を大きくした起毛ブラシローラ１９４が設けられている。図２及びその部分正面図である図３に前記クリーニングブラシローラ１９２の前記無端ベルト状中間転写体６との接触による斜毛を、起毛ブラシローラ１９４によって回復させるようにした稼働時の動作が示されている。また、稼働が停止したときの状況を表す図４の部分正面図に、起毛ブラシローラ１９４及びクリーニングブラシローラ１９２の毛先部が斜毛を助長したり、逆に起毛させたりすること無くお互いの毛先の中に重なり合って素直に入る状況が示されている。そのため稼働を再開した場合に確実な起毛がなされる。
【００３９】
これによって、従来、十字状のスクレーパや歯車状のスクレーパにより、待機停止中にクリーニングブラシローラが接触し続けるため、ブラシの毛への不規則方向へのストレスがかかり起毛効果が乱れていた現象は解消されるようになった。
【００４０】
尚、上記図２、図３、図４ではクリーニングブラシローラ１９２と起毛ブラシローラ１９４とは各軸中心を結ぶ直線が水平に配置されているが、この直線は水平線に対して±４５°の範囲であれば良い。
【００４１】
そして、該クリーニング装置１９０Ａは、前記クリーニングブラシローラ１９２で除去されたトナーが集まる回収部１９３Ａを底部に設けた筐体１９３に収容されている。
【００４２】
前記回収部の下部に孔を開けてパイプに接続させて、回収されたトナーを逐次外部の容器に排除して行くことが可能である。しかし、図２に示すように、回収部１９３Ａに搬送スクリュー１９６を設けて、逐次現像器又は廃トナーボックスに送り出すことが好ましい。
【実施例】
【００４３】
前述のように、この画像形成装置ＧＳでは、その線速度を２２０、３３０、４４０ｍｍ／ｓにし、それに伴い前記起毛ブラシローラ１９４の回転数（ｒｐｍ）をそれぞれ５２５．４、７８８．２、１０５１ｒｐｍにし、前記クリーニングブラシローラ１９２の回転数（ｒｐｍ）をそれぞれ２６２．２、３９４．１、５２５．５ｒｐｍにしてある。即ち、対応する起毛ブラシローラ１９４の回転数はクリーニングブラシローラ１９２の回転数よりも大きくしてある。
【００４４】
また、起毛ブラシローラ１９４の毛の太さは、同材料のクリーニングブラシローラ１９２の毛の太さよりも大きくしてある。それに伴って密度は前者で粗く、後者で密になっている。
【００４５】
前者は１０、２０、３０デニールのものを、後者は２、６、８、１０、１５デニールのものをテストした。
【００４６】
テストに用いた図１に示した画像形成装置ＧＳ及び無端ベルト状中間転写体６の線速度ｍｍ／ｓ、それに対応した起毛ブラシローラ１９４及びクリーニングブラシローラ１９２の回転数ｒｐｍ、毛の材料、太さ、密度、各ローラ外径、パイルの毛の長さを纏めて示すと表１のようになる。
【００４７】
【表１】
2008102248.tif 000003
【００４８】
（実験例１）
そして画像形成装置ＧＳ及び無端ベルト状中間転写体６の線速度を２２０ｍｍ／ｓに、起毛ブラシローラ１９４とクリーニングブラシローラ１９２の毛先部の食い込み量（重なり量）を１ｍｍに、上記各ブラシローラ１９４、１９２の回転数を５２５．４ｒｐｍと２６２．７ｒｐｍに、太さを３０デニールと６デニールに、１平方インチ当たりの本数である密度を１５，０００本と１００，０００本にして、他は上記表１の条件で、先ず、クリーニングブラシローラ１９２のみを装着した場合と、それに起毛ブラシローラ１９４をも装着した場合とを、それぞれ図１の画像形成装置に組み入れて連続コピーを行い、各ローラの外径の減少状況を測定した。その結果、図５のグラフに示すように両者とも外径減少を伴うが、後者は３０万枚までに０．６ｍｍ減少して、そのまま４０万枚まで続けても以後の減少は全くなかった。それに対して前者では３０万枚で１．３ｍｍ減少し、以後更に減少を続け４０万枚に達しても更に減少を続ける傾向が見られた。
【００４９】
更に、クリーニングブラシローラ１９２と起毛ブラシローラ１９４の毛先部の食い込み量（重なり量）を上記１ｍｍの他に０．５及び２．０ｍｍにしたテストも行ったが、上記１ｍｍの場合とほぼ同様の結果が得られた。
【００５０】
このように、各ブラシローラの毛先の先端部同士は、回転中や停止中に係わらず、互いに妨害されることなく、スムーズに喰い込み合い、クリーニング時に感光体等像担持体と接触して曲げられて寝かされたクリーニングブラシローラ１９２の毛先部分は起毛ブラシローラ１９４の毛先部分によって回復されながら直毛の正常状態が長時間持続されるようになった。従来のスクレーパを用いる方式の場合は、そのスクレーパの先端面やサイド面が大きいため、運転時には起毛効果が幾分不安定ながらあったが、停止時には毛の先端部分が潰されたり反対方向に曲げられて、かえって斜毛状態を助長させたりする現象があって起毛効果が不安定であった。しかし、このような現象は本発明によって解消された。
【００５１】
また、画像形成装置ＧＳ及び無端ベルト状中間転写体６の線速度を３３０ｍｍ／ｓ及び４４０ｍｍ／ｓにしてテストした結果もほぼ同様であった。
（実験例２）
また、更に実験例１で行った表１の条件と同じ条件下で、先ず、画像形成装置の線速度を２２０ｍｍ／ｓにし、それに基づき、起毛ブラシローラ１９４とクリーニングブラシローラ１９２の回転数をそれぞれ５２５．４、２６２．７ｒｐｍにし、両ローラの毛先の食い込み量は１ｍｍにしてクリーニング性能のテストをした。そして、クリーニングブラシローラ１９２と起毛ブラシローラ１９４の毛のデニール値を種々組み合わせて網点ベタ画像を形成させた。評価方法としてはクリーニング後のクリーニングブラシローラのすり抜け等の影響を確認するため、各２０万コピー及び４０万コピー毎に、試料をセロテープ（登録商標）で採取し、セロテープ（登録商標）に付着した色で判断する方法を用いてテストした。その結果を表２に示す。
【００５２】
【表２】
2008102248.tif 000004
【００５３】
ここに○：４０万コピーにおいても色なし状態を保つ（良好）
△：２０万コピーでは色が付かないが４０万コピーではうっすらと色がある（実用上差し支えない）
×：２０万コピーではっきりした色がある（不合格）
である。
【００５４】
起毛ブラシローラ１９４とクリーニングブラシローラ１９２の表２のような組み合わせにおいて、起毛ブラシローラ１９４の毛の１０デニールのものを、クリーニングブラシローラ１９２の毛の１０及び１５デニールのものと組み合わせたものや、起毛ブラシローラ１９４の毛の１５デニールのものを、クリーニングブラシローラ１９２の毛の１５デニールのものと組み合わせたクリーニング性能は全く良くない。しかし、それ以外の組み合わせでは、良好なクリーニング性能が得られるものと、欠点がでるとしても実用上支障のない範囲内であるという評価結果が得られるものとであることがわかる。
【００５５】
以上の結果に対し、起毛ブラシローラ１９４とクリーニングブラシローラ１９２の毛先部の食い込み量（重なり量）を上記１ｍｍの他に０．５〜２．０にし、上記各ブラシローラの回転数（ｒｐｍ）を５２５．４、２６２．７ｒｐｍの他に、７８８．２、３９４．１ｒｐｍ及び１０５１、５２５．５ｒｐｍにしてクリーニングテストを行ったが、同様な評価結果が得られた。
【００５６】
ここに、起毛ブラシローラ１９４とクリーニングブラシローラ１９２の外径が同径の場合は、各ローラの周速度の比較は回転数の比較によって行っても差し支えない。即ち、本発明においては、起毛ブラシローラ１９４の周速度は、クリーニングブラシローラ１９２の周速度よりも大きく、起毛ブラシローラ１９４の毛の剛性は、クリーニングブラシローラ１９２の毛の剛性よりも大きいことが必要である。
【００５７】
本実施例におけるクリーニングブラシローラの回転数は２６２．７〜５２５．４ｒｐｍで、起毛ブラシローラの回転数は５２５．４〜１０５１ｒｐｍであり、起毛ブラシローラとクリーニングブラシローラとの回転数比は２倍にして良好な結果を得ているが、本発明はこれだけに限られるものではない。
【００５８】
そして、本発明により、クリーニングブラシローラに起こる斜毛は起毛ブラシローラによって斜毛を回復され、ブラシの寿命を確実に延ばすことができると共に、画像品質を安定して向上することが可能になる。
【００５９】
また、前述のように、起毛ブラシローラ１９４とクリーニングブラシローラ１９２の毛の材質が同一の場合は、各ブラシローラの毛の剛性の比較は毛の太さの比較によって行っても差し支えない。
【００６０】
本発明の実施の形態では起毛ブラシローラ１９４とクリーニングブラシローラ１９２の毛の材質が同材質のものを用いたので毛の剛性として毛の太さをデニールで表して比較した。互いに材質が異なる毛を用いるときは毛が細くても剛性が大きくなる場合もある。このように本発明においては、両ローラの毛の材質が異なる場合も含めて、起毛ブラシローラ１９４の毛の剛性がクリーニングブラシローラ１９２の毛の剛性よりも大きいことが好ましい。起毛ブラシローラ１９４の剛性をクリーニングブラシローラ１９２の剛性よりも大きくすることは、起毛ブラシローラ１９４の寿命を長くすることにも寄与する。
【００６１】
また、クリーニングブラシローラ１９２及び無端ベルト状中間転写体６の接触部と、それよりも前記クリーニングブラシローラ１９２の下流側で、該クリーニングブラシローラ１９２及び前記起毛ブラシローラ１９４の接触部との中間位置にフリッカ１９５を配置することができる。この場合、トナーの回収部への集積効率は上昇するが、クリーニングブラシローラ１９２の斜毛の傾向は増大するので、起毛ブラシローラ１９４の回転数を上げる等の対策が必要である。
【図面の簡単な説明】
【００６２】
【図１】本発明に係る像担持体のクリーニング装置を備えた画像形成装置の要部断面構成図である。
【図２】本発明の画像形成装置における無端ベルト状中間転写体のクリーニング装置の正面図である。
【図３】本発明に用いるクリーニング装置のクリーニングブラシローラと起毛ブラシローラとフリッカの運転中の状態示す部分正面図である。
【図４】本発明に用いるクリーニング装置のクリーニングブラシローラと起毛ブラシローラとフリッカの停止中の状態示す部分正面図である。
【図５】起毛ブラシローラを用いたときと、用いないときとで、通紙によるクリーニングブラシローラの外径の変化を示すグラフである。
【符号の説明】
【００６３】
１  感光体ドラム
２  帯電器
３  露光光学系
４  現像装置
６  無端ベルト状中間転写体
１９０，１９０Ａ  クリーニング装置
１９２  クリーニングブラシローラ
１９３  筐体
１９３Ａ  回収部
１９４  起毛ブラシローラ
１９５  フリッカ
１９６  搬送スクリュー
ＧＳ  画像形成装置
Ｐ  記録媒体
Ｔ  残存トナー（回収トナー）
【図１】
2008102248.tif 000005
【図２】
2008102248.tif 000006
【図３】
2008102248.tif 000007
【図４】
2008102248.tif 000008
【図５】
2008102248.tif 000009